(57)【要約】【課題】健全燃料棒およびリーク燃料棒を含む複数の燃料棒を、安全に取り扱うことが可能な燃料収納方法および収納容器を提供する。【解決手段】複数の燃料棒が健全であるか否かを判別して、健全である健全燃料棒と、健全でないリーク燃料棒とを選別する燃料棒健全判別ステップＳ５と、健全燃料棒を健全燃料棒用収納容器に収納し、リーク燃料棒をリーク燃料棒用収納容器に収納することで、健全燃料棒とリーク燃料棒とを分けて収納する健全燃料棒収納ステップＳ６およびリーク燃料棒収納ステップＳ７と、を備える。【選択図】図７
2014059266.tif 000002
【特許請求の範囲】
【請求項１】
複数の燃料棒が健全であるか否かを判別して、健全である健全燃料棒と、健全でないリーク燃料棒とにそれぞれ選別する燃料棒選別工程と、
選別された前記健全燃料棒を健全燃料棒用収納容器に収納し、選別された前記リーク燃料棒をリーク燃料棒用収納容器に収納することで、前記健全燃料棒と前記リーク燃料棒とを分けて収納する燃料棒収納工程と、を備えることを特徴とする燃料収納方法。
【請求項２】
前記健全燃料棒用収納容器および前記リーク燃料棒用収納容器の少なくともいずれか一方を、放射性物質格納容器に格納する収納容器格納工程をさらに備えることを特徴とする請求項１に記載の燃料収納方法。
【請求項３】
放射性物質格納容器に格納される収納容器であって、
内部に複数の燃料棒が収納される容器本体と、
前記容器本体に装着される容器蓋部と、を備えることを特徴とする収納容器。
【請求項４】
前記容器本体に収納され、収納される前記複数の燃料棒の間に設けられる中性子吸収材を、さらに備えることを特徴とする請求項３に記載の収納容器。
【請求項５】
前記中性子吸収材は、前記燃料棒の軸方向に直交する直交面内において、前記容器本体の内部を複数に分割していることを特徴とする請求項４に記載の収納容器。
【請求項６】
前記容器本体に収納され、収納される前記複数の燃料棒が挿通される複数の保護管を、さらに備えることを特徴とする請求項３ないし５のいずれか１項に記載の収納容器。
【請求項７】
前記容器本体の外側に設けられた放熱フィンを、さらに備えることを特徴とする請求項３ないし６のいずれか１項に記載の収納容器。
【発明の詳細な説明】
【技術分野】
【０００１】
本発明は、使用済の燃料棒を収納する燃料収納方法および収納容器に関するものである。
【背景技術】
【０００２】
従来、複数の燃料棒を内部に収納する貯蔵容器が知られている（例えば、特許文献１参照）。この貯蔵容器では、複数の燃料棒をコンパクトな整列状態として収納されている。
【先行技術文献】
【特許文献】
【０００３】
【特許文献１】特開昭５４−１５０５９１号公報
【発明の概要】
【発明が解決しようとする課題】
【０００４】
ところで、複数の燃料棒は、健全な燃料棒である健全燃料棒だけでなく、健全でない燃料棒であるリーク燃料棒を含む場合がある。リーク燃料棒とは、被覆管の一部にピンホールまたはクラック等の破損が生じている燃料棒である。しかしながら、従来の貯蔵容器では、リーク燃料棒の有無を考慮していない。このため、貯蔵容器に収納される燃料棒の安全性を担保するには、貯蔵容器に健全燃料棒のみを収容することとなり、リーク燃料棒を取り扱うことが困難となる。
【０００５】
そこで、本発明は、健全燃料棒およびリーク燃料棒を含む複数の燃料棒を、安全に取り扱うことが可能な燃料収納方法および収納容器を提供することを課題とする。
【課題を解決するための手段】
【０００６】
本発明の燃料収納方法は、複数の燃料棒が健全であるか否かを判別して、健全である健全燃料棒と、健全でないリーク燃料棒とにそれぞれ選別する燃料棒選別工程と、選別された健全燃料棒を健全燃料棒用収納容器に収納し、選別されたリーク燃料棒をリーク燃料棒用収納容器に収納することで、健全燃料棒とリーク燃料棒とを分けて収納する燃料棒収納工程と、を備えることを特徴とする。
【０００７】
この構成によれば、複数の健全燃料棒を健全燃料棒用収納容器に稠密に収容し、複数のリーク燃料棒をリーク燃料棒用収納容器に稠密に収容することができる。このため、多数の健全燃料棒を健全燃料棒用収納容器に収容することで、健全燃料棒を安全に取り扱うことが可能となる。また、多数のリーク燃料棒をリーク燃料棒用収納容器に収容し、リーク燃料棒用収納容器の構成を安全な構成とすることで、リーク燃料棒を安全に取り扱うことが可能となる。
【０００８】
この場合、健全燃料棒用収納容器およびリーク燃料棒用収納容器の少なくともいずれか一方を、放射性物質格納容器に格納する収納容器格納工程をさらに備えることが好ましい。
【０００９】
この構成によれば、健全燃料棒とリーク燃料棒とに分けて収納された各収納容器を放射性物質格納容器に格納することで、より安全に燃料棒を取り扱うことができる。例えば、放射性物質格納容器が輸送用容器である場合、多数の燃料棒を安全に輸送することができ、また、放射性物質格納容器が貯蔵用容器である場合、多数の燃料棒を安全に貯蔵することができる。
【００１０】
本発明の収納容器は、放射性物質格納容器に格納される収納容器であって、内部に複数の燃料棒が収納される容器本体と、容器本体に装着される容器蓋部と、を備えることを特徴とする。
【００１１】
この構成によれば、燃料棒を収納容器に稠密に収容し、収納容器を放射性物質格納容器に格納すると共に、放射性物質格納容器の構成を安全な構成とすることで、燃料棒にリーク燃料棒が含まれていたとしても、リーク燃料棒を安全に取り扱うことが可能となる。
【００１２】
この場合、容器本体に収納され、収納される複数の燃料棒の間に設けられる中性子吸収材を、さらに備えることが、好ましい。
【００１３】
この構成によれば、燃料棒から中性子が放出される場合であっても、中性子吸収材により中性子を吸収することができるため、安全性をより担保することができる。
【００１４】
この場合、中性子吸収材は、燃料棒の軸方向に直交する直交面内において、容器本体の内部を複数に分割していることが、好ましい。
【００１５】
この構成によれば、容器本体の内部を複数に分割することで、容器本体に収容される燃料棒の束を、より小さな束とすることができる。このため、燃料棒から中性子が放出される場合であっても、中性子の放出範囲を狭い範囲とすることができるため、安全性を向上させることができる。
【００１６】
この場合、容器本体に収納され、収納される複数の燃料棒が挿通される複数の保護管を、さらに備えることが、好ましい。
【００１７】
この構成によれば、燃料棒の中にリーク燃料棒が含まれ、落下事象等により燃料棒に衝撃が与えられた場合であっても、燃料棒を保護管に挿通することで、燃料棒の形状を保護管によって維持することができる。このため、衝撃により破損した燃料棒が密集することを抑制でき、安全性をより向上させることができる。
【００１８】
この場合、容器本体の外側に設けられた放熱フィンを、さらに備えることが、好ましい。
【００１９】
この構成によれば、容器本体の内部に収納された燃料棒の発熱を、放熱フィンを介して放熱することができる。このため、発熱する燃料棒であっても容器本体に好適に収納することが可能となる。
【発明の効果】
【００２０】
本発明の燃料収納方法および収納容器によれば、健全燃料棒およびリーク燃料棒を含む複数の燃料棒を、安全に取り扱うことができる。
【図面の簡単な説明】
【００２１】
【図１】図１は、本実施例の収納容器を格納するキャスクの一部を切り欠いた斜視図である。
【図２】図２は、キャスクの軸方向に直交する面で切った断面図である。
【図３】図３は、本実施例の収納容器を表した側面図である。
【図４】図４は、健全燃料棒を収容する本実施例の収納容器を模式的に表した断面図である。
【図５】図５は、リーク燃料棒を収容する本実施例の収納容器を模式的に表した断面図である。
【図６】図６は、放熱フィンを設けた本実施例の収納容器を模式的に表した断面図である。
【図７】図７は、燃料収納方法に関する一連の動作を表したフローチャートである。
【図８】図８は、変形例１に係る収納容器を模式的に表した断面図である。
【発明を実施するための形態】
【００２２】
以下、添付した図面を参照して、本発明に係る燃料収納方法および収納容器について説明する。なお、以下の実施例によりこの発明が限定されるものではない。また、下記実施例における構成要素には、当業者が置換可能かつ容易なもの、或いは実質的に同一のものが含まれる。
【実施例】
【００２３】
本実施例に係る収納容器は、キャスク（放射性物質格納容器）に格納可能に構成されており、内部に複数の燃料棒を収納可能に構成されている。先ず、図１および図２を参照して、収納容器が格納されるキャスクについて説明する。
【００２４】
図１は、本実施例の収納容器を格納するキャスクの一部を切り欠いた斜視図である。図２は、キャスクの軸方向に直交する面で切った断面図である。このキャスク１０は、内部に収納容器を格納して輸送される輸送用のキャスクである。なお、本実施例では、キャスクとして、輸送用キャスクに適用して説明するが、これに限定されず、貯蔵用キャスクに適用してもよい。
【００２５】
キャスク１０は、胴本体１１と、下部緩衝体１２と、上部緩衝体１３と、キャスク底部１４と、キャスク蓋部１５と、バスケット１６とを含んで構成される。胴本体１１は、筒状に形成される。キャスク底部１４は、胴本体１１の一方の端部に隙間なく設けられる。キャスク蓋部１５は、胴本体１１の他方の端部に隙間なく設けられる。
【００２６】
バスケット１６は、胴本体１１と、キャスク底部１４と、キャスク蓋部１５とで囲まれる空間に設けられる。バスケット１６は、図１および図２に示すように複数のセル１７が設けられる。図２に示すように、セル１７は、例えば、角パイプによって形成される。バスケット１６は、複数の角パイプが胴本体１１の胴中心線ＣＬ方向に向かって胴本体１１に挿入されることで、複数のセル１７が構成される。バスケット１６の各セル１７には、健全であるとされた健全燃料集合体を格納する場合と、複数の燃料棒が収納された収納容器を格納する場合とがある。次に、図３から図５を参照して、収納容器１について説明する。なお、燃料集合体は、沸騰水型原子炉に用いられるＢＷＲ用燃料集合体であっても、加圧水型原子炉に用いられるＰＷＲ用燃料集合体であってもよい。
【００２７】
図３は、本実施例の収納容器を表した側面図である。図４は、健全燃料棒を収容する本実施例の収納容器を模式的に表した断面図である。図５は、リーク燃料棒を収容する本実施例の収納容器を模式的に表した断面図である。この収納容器１は、健全でないとされたリーク燃料集合体に設けられる複数の燃料棒を収納する容器である。また、収納容器１は、例えば、２種類用意され、リーク燃料集合体の複数の燃料棒のうち、健全であるとされた健全燃料棒を収納する健全燃料棒用収納容器１ａと、健全でないとされたリーク燃料棒を収納するリーク燃料棒用収納容器１ｂとがある。
【００２８】
収納容器１は、内外を連通する開口部を有する有底の容器本体２と、容器本体２の開口部に装着される容器蓋部３と、容器本体２の底部に接続されたドレン管４とを有している。容器本体２は、断面方形状となる角筒形状となっており、内部に複数の燃料棒を収納する長方体状の収納空間５が形成されている。容器蓋部３は、容器本体２に対し隙間なく装着されることで、収納空間５を密封状態とすることができる。また、容器蓋部３には、ガス注入弁３ａが設けられており、ガス注入弁３ａは、ガス供給ラインが接続されることで開弁する一方で、ガス供給ラインの接続が解除されると閉弁する。なお、注入されるガスは、例えば、伝熱性の高いヘリウムガスであり、内部に収納される複数の燃料棒からの発熱を収納容器１に伝達する。ドレン管４は、容器本体２の収容空間５に溜まった水を排出するためのものである。ドレン管４は、その一方が容器本体２の底部に接続され、その他方が容器本体２の上部にまで延びている。ドレン管４の他方には、ドレン弁４ａが設けられており、ドレン弁４ａは、ドレン排出ラインが接続されることで開弁する一方で、ドレン排出ラインの接続が解除されると閉弁する。
【００２９】
上記のように構成された収納容器１は、健全燃料棒Ｌ１が収納される場合、図４に示す健全燃料棒用収納容器１ａとして構成される。図４に示すように、健全燃料棒用収納容器１ａは、容器本体２の内部に設けられた中性子吸収板６を有している。中性子吸収板６は、ボロンを含むアルミニウム、またはボロンを含むステンレス等の中性子吸収材で構成されている。中性子吸収板６は、収納空間５の長手方向（収納空間５に収納される健全燃料棒Ｌ１の軸方向）に直交する直交面内において、断面十字形状に形成されている。つまり、中性子吸収板６は、直交面内において方形となる収納空間５を、４つの方形の分割収納空間５ａに分割するように、収納空間５の中央から外側へ向かって十字状に延在している。
【００３０】
そして、中性子吸収板６を収納した容器本体２の４つの分割収納空間５ａには、複数の健全燃料棒Ｌ１が稠密に、すなわち複数の健全燃料棒Ｌ１が隣接した状態で収納される。なお、図４では、各分割収納空間５ａに複数の健全燃料棒Ｌ１をマトリクス状に配置したが、各分割収納空間５ａに複数の健全燃料棒Ｌ１を千鳥状に配置してもよく、特に限定されない。
【００３１】
また、上記のように構成された収納容器１は、リーク燃料棒Ｌ２が収納される場合、図５に示すリーク燃料棒用収納容器１ｂとして構成される。図５に示すように、リーク燃料棒用収納容器１ｂは、容器本体２の内部に設けられた中性子吸収板６と複数の保護管７とを有している。中性子吸収板６は、健全燃料棒用収納容器１ａに収納されたものと同様であり、収納空間５を４つの分割収納空間５ａに分割している。
【００３２】
複数の保護管７は、ステンレス等で構成された丸管であり、リーク燃料棒Ｌ２が挿通可能となっている。複数の保護管７は、各分割収納空間５ａに稠密に、すなわち各保護管７が隣接した状態で収容される。なお、図５では、各分割収納空間５ａに複数の保護管７をマトリクス状に配置したが、各分割収納空間５ａに複数の保護管７を千鳥状に配置してもよく、特に限定されない。そして、複数の保護管７に複数のリーク燃料棒Ｌ２が挿通されることで、各リーク燃料棒Ｌ２は、落下事象等によって衝撃が与えられても、保護管７により形状が維持された状態で、稠密に収容される。
【００３３】
なお、図６に示すように、収納容器１に放熱フィン８を設けてもよい。図６は、放熱フィンを設けた本実施例の収納容器を模式的に表した断面図である。放熱フィン８は、健全燃料棒用収納容器１ａおよびリーク燃料棒用収納容器１ｂのいずれの収納容器１に設けてもよい。放熱フィン８は、収納容器１の容器本体２の外側に複数設けられ、容器本体２の長手方向に沿って延在している。複数の放熱フィン８は、容器本体２の長手方向に直交する直交面内において、容器本体２の外周に沿って並べて設けられている。
【００３４】
次に、図７を参照して、収納容器１に燃料棒Ｌ１，Ｌ２を収納する燃料収納方法に関する一連の動作フローについて説明する。図７は、燃料収納方法に関する一連の動作を表したフローチャートである。燃料収納方法は、集合体検査工程Ｓ１と、集合体健全判別工程Ｓ２と、健全集合体格納工程Ｓ３と、燃料棒検査工程Ｓ４と、燃料棒健全判別工程Ｓ５（燃料棒選別工程）と、健全燃料棒収納工程Ｓ６と、リーク燃料棒収納工程Ｓ７と、収納容器格納工程Ｓ８と、を備えている。なお、健全燃料棒収納工程Ｓ６およびリーク燃料棒収納工程Ｓ７が、健全燃料棒Ｌ１とリーク燃料棒Ｌ２とを分けて収納する燃料棒収納工程となっている。
【００３５】
集合体検査工程Ｓ１では、原子炉内に装荷された燃料集合体が健全であるか否かを検査する。具体的に、集合体検査工程Ｓ１では、燃料集合体毎に、例えばシッピング検査および外観検査等のリーク検査を実行する。なお、集合体検査工程Ｓ１では、上記の構成に限らず、燃料集合体を密封可能な缶に収容して缶内を排水し、この後、真空乾燥を行って、ＦＰガス（核分裂生成ガス）の検出を行ってもよい。この場合、後述する集合体健全判別工程Ｓ２において、ＦＰガスの検出の有無によってリークしているか否かを判別してもよい。この検出方法によれば、缶内外の圧力差を、輸送中に経験する燃料棒の被覆管の内外の圧力差と同等以上の圧力差とすることができ、輸送中の缶内からの核分裂生成物のリークを抑制することが可能となる。
【００３６】
集合体健全判別工程Ｓ２では、集合体検査工程Ｓ１による検査結果に基づいて、燃料集合体から核分裂生成物が漏れ出ているか（リークしているか）否かを判別する。そして、集合体健全判別工程Ｓ２では、リークしていない場合、燃料集合体は健全であると判定する（ステップＳ２：Ｙｅｓ）一方で、リークしている場合、燃料集合体は健全でないと判定する（ステップＳ２：Ｎｏ）。集合体健全判別工程Ｓ２において健全であるとされた健全燃料集合体は、健全集合体格納工程Ｓ３に移行する一方で、健全でないとされたリーク燃料集合体は、燃料棒検査工程Ｓ４に移行する。
【００３７】
健全集合体格納工程Ｓ３では、集合体健全判別工程Ｓ２において健全であるとされた健全燃料集合体を、上記したキャスク１０のセル１７に装荷して格納する。なお、キャスク１０は、使用済燃料プール内に沈められた状態でセル１７内に燃料集合体が挿入される。このとき、キャスク１０の下部緩衝体１２および上部緩衝体１３は、取り外された状態となっている。
【００３８】
燃料棒検査工程Ｓ４では、集合体健全判別工程Ｓ２において健全でないとされたリーク燃料集合体から燃料棒を取り出し、取り出した燃料棒が健全であるか否かを検査する。具体的に、燃料棒検査工程Ｓ４では、燃料棒毎に、例えば超音波（ＵＴ）検査および外観検査等のリーク検査を実行する。なお、燃料棒検査工程Ｓ４でも、集合体検査工程Ｓ１と同様に、燃料棒を密封可能な缶に収容して缶内を排水し、この後、真空乾燥を行って、ＦＰガス（核分裂生成ガス）の検出を行ってもよい。この場合、後述する燃料棒健全判別工程Ｓ５において、ＦＰガスの検出の有無によってリークしているか否かを判別してもよい。
【００３９】
燃料棒健全判別工程Ｓ５では、燃料棒検査工程Ｓ４による検査結果に基づいて、燃料棒から核分裂生成物が漏れ出ているか（リークしているか）否かを判別する。そして、燃料棒健全判別工程Ｓ５では、リークしていない場合、燃料棒は健全であると判定する（ステップＳ５：Ｙｅｓ）一方で、リークしている場合、燃料棒は健全でないと判定する（ステップＳ５：Ｎｏ）。燃料棒健全判別工程Ｓ５において健全であるとされた健全燃料棒は、健全燃料棒収納工程Ｓ６に移行する一方で、健全でないとされたリーク燃料棒は、リーク燃料棒収納工程Ｓ７に移行する。
【００４０】
健全燃料棒収納工程Ｓ６では、燃料棒健全判別工程Ｓ５において健全であるとされた健全燃料棒を、上記した健全燃料棒用収納容器１ａの分割収納空間５ａに稠密に収納する。なお、健全燃料棒用収納容器１ａは、使用済燃料プール内に沈められた状態で各分割収納空間５ａ内に健全燃料棒が挿入される。健全燃料棒用収納容器１ａの収納空間５が複数の健全燃料棒で満たされると、容器蓋部３を容器本体２に取り付けて、健全燃料棒用収納容器１ａを密封状態とする。
【００４１】
リーク燃料棒収納工程Ｓ７では、燃料棒健全判別工程Ｓ５において健全でないとされたリーク燃料棒を、上記したリーク燃料棒用収納容器１ｂの分割収納空間５ａに設けられた複数の保護管７に収納する。なお、リーク燃料棒用収納容器１ｂは、健全燃料棒用収納容器１ａと同様に、使用済燃料プール内に沈められた状態で各分割収納空間５ａ内にリーク燃料棒が挿入される。リーク燃料棒用収納容器１ｂの収納空間５が複数のリーク燃料棒で満たされると、容器蓋部３を容器本体２に取り付けて、リーク燃料棒用収納容器１ｂを密封状態とする。
【００４２】
収納容器格納工程Ｓ８では、健全燃料棒収納工程Ｓ６およびリーク燃料棒収納工程Ｓ７において燃料棒が収納された各収納容器１ａ，１ｂを、上記したキャスク１０のセル１７に装荷して格納する。なお、健全集合体格納工程Ｓ３と同様に、キャスク１０は、使用済燃料プール内に沈められた状態でセル１７内に収納容器１が挿入される。このとき、収納容器１は、キャスク蓋部１５の装着前に、収納空間５に溜まった使用済燃料プールの水を排出している。つまり、収納容器１の内部に溜まった水を排出する場合は、容器蓋部３に設けられたガス注入弁３ａにガス注入ラインを接続し、ドレン管４に設けられたドレン弁４ａにドレン排出ラインを接続する。そして、ガス注入ラインからヘリウムガスを注入することで、収納空間５に溜まった水を排出すると共に、収納容器１の内部を乾燥させる。この後、キャスク１０の胴本体１１にキャスク蓋部１５が装着され、キャスク１０は、使用済燃料プールから引き上げられる。使用済燃料プールから引き上げられたキャスク１０からは、内部に溜まった水が排出される。
【００４３】
以上のように、本実施例の構成によれば、複数の健全燃料棒Ｌ１を健全燃料棒用収納容器１ａに稠密に収容し、複数のリーク燃料棒Ｌ２をリーク燃料棒用収納容器１ｂに稠密に収容することができる。このため、多数の健全燃料棒Ｌ１を健全燃料棒用収納容器１ａに収容することで、健全燃料棒Ｌ１を安全に取り扱うことが可能となり、また、多数のリーク燃料棒Ｌ２をリーク燃料棒用収納容器１ｂに収容することで、リーク燃料棒Ｌ２を安全に取り扱うことが可能となる。
【００４４】
また、本実施例の構成によれば、健全燃料棒Ｌ１とリーク燃料棒Ｌ２とに分けて収納された各収納容器１ａ，１ｂをキャスク１０に格納することで、より安全に燃料棒Ｌ１，Ｌ２を取り扱うことができる。これにより、キャスク１０が輸送用キャスクである場合には、多数の燃料棒Ｌ１，Ｌ２を安全に輸送することができ、また、キャスク１０が貯蔵用キャスクである場合には、多数の燃料棒Ｌ１，Ｌ２を安全に貯蔵することができる。
【００４５】
また、本実施例の構成によれば、収納容器１の内部に中性子吸収板６を設けることができるため、燃料棒Ｌ１，Ｌ２から中性子が放出された場合であっても、中性子吸収材により中性子を吸収することができ、安全性をより高めることができる。
【００４６】
また、本実施例の構成によれば、収納空間５を複数の分割収納空間５ａに分割することで、容器本体２に収容される燃料棒Ｌ１，Ｌ２の束を、より小さな束とすることができる。このため、燃料棒Ｌ１，Ｌ２から中性子が放出される場合であっても、中性子の放出範囲を狭い範囲とすることができるため、安全性を向上させることができる。
【００４７】
また、本実施例の構成によれば、リーク燃料棒Ｌ２を保護管７に挿通することで、落下事象等によりリーク燃料棒Ｌ２に衝撃が与えられたとしても、リーク燃料棒Ｌ２の形状を保護管７により維持することができる。このため、衝撃により破損したリーク燃料棒Ｌ２が密集することを抑制でき、安全性をより向上させることができる。
【００４８】
また、本実施例の構成によれば、収納容器１に放熱フィン８を設けることで、容器本体２の内部に収納された燃料棒Ｌ１，Ｌ２の発熱を、放熱フィン８を介して放熱することができる。このため、発熱する燃料棒Ｌ１，Ｌ２であっても容器本体２に好適に収納することが可能となる。
【００４９】
なお、複数の保護管７が内部に設けられた収納容器１は、リーク燃料棒用収納容器１ｂとして用いたが、この構成に限らない。例えば、複数の保護管７が内部に設けられた収納容器１には、健全燃料棒Ｌ１とリーク燃料棒Ｌ２とを分けずに、つまり、健全燃料棒Ｌ１とリーク燃料棒Ｌ２とが混在した状態で、保護管７に燃料棒Ｌ１，Ｌ２を挿入してもよい。
【００５０】
また、本実施例では、中性子吸収板６を、収納空間５を４つの方形の分割収納空間５ａに分割するように、収納容器１の内部に配置したが、この構成に限らず、図８に示す変形例１の構成にしてもよい。図８は、変形例１に係る収納容器を模式的に表した断面図である。図８に示すように、中性子吸収板６は、収納空間５の長手方向（収納空間５に収納される健全燃料棒Ｌ１の軸方向）に直交する直交面内において、断面十字形状に形成されている。このとき、中性子吸収板６は、直交面内において方形となる収納空間５を、４つの三角形の分割収納空間５ａに分割するように、対角線上に十字状に延在して配置されている。
【符号の説明】
【００５１】
１  収納容器
１ａ  健全燃料棒用収納容器
１ｂ  リーク燃料棒用収納容器
２  容器本体
３  容器蓋部
３ａ  ガス注入弁
４  ドレン管
４ａ  ドレン弁
５  収納空間
５ａ  分割収納空間
６  中性子吸収板
７  保護管
８  放熱フィン
１０  キャスク
１１  胴本体
１２  下部緩衝体
１３  上部緩衝体
１４  キャスク底部
１５  キャスク蓋部
１６  バスケット
１７  セル
ＣＬ  胴中心線
Ｌ１  健全燃料棒
Ｌ２  リーク燃料棒
【図１】
2014059266.tif 000003
【図２】
2014059266.tif 000004
【図３】
2014059266.tif 000005
【図４】
2014059266.tif 000006
【図５】
2014059266.tif 000007
【図６】
2014059266.tif 000008
【図７】
2014059266.tif 000009
【図８】
2014059266.tif 000010